(57)【要約】【課題】  音響再生装置の装着位置と装着方式を改善して、操作を容易にするとともに利用範囲を拡張した音響再生装置を備えた調理装置を提供する。【解決手段】  音響再生装置と、前記音響再生装置が着脱される装着部を有する本体と、前記音響再生装置で再生される音響信号を出力する少なくとも一つのスピーカとを含む。【選択図】  図２
2004251614.tif 000002
【特許請求の範囲】
【請求項１】
音響再生装置と、
前記音響再生装置が着脱される装着部を有する本体と、
前記音響再生装置で再生される音響信号を出力する少なくとも一つのスピーカとを含んでなることを特徴とする調理装置。
【請求項２】
前記音響再生装置は前記調理装置の前面に位置することを特徴とする請求項１に記載の調理装置。
【請求項３】
前記調理装置は、前記音響再生装置の着脱を干渉しないように前記音響再生装置から延長されるハンドルを有するドアをさらに含むことを特徴とする請求項２に記載の調理装置。
【請求項４】
前記音響再生装置は、前記音響再生装置を装着部に電気的に連結し、電源を受けて音響信号を伝送する第１コネクタを有し、
前記本体の装着部は前記音響再生装置に電源を供給し音響信号を受信する第２コネクタを有し、
前記音響再生装置で再生される音響信号は、前記装着部に装着されたとき、前記第１及び第２コネクタを介して一つ以上のスピーカに伝送されることを特徴とする請求項１に記載の調理装置。
【請求項５】
前記本体は、外部スピーカを前記本体に連結するため、オーディオ出力端子をさらに含むことを特徴とする請求項１に記載の調理装置。
【請求項６】
前記本体は、前記装着部に装着された音響再生装置を分離するための放出ボタンをさらに含み、
前記音響再生装置の上部は、前記音響再生装置が放出されるとき、前記調理装置から外側に回転することを特徴とする請求項１に記載の調理装置。
【請求項７】
前記装着部は前記本体の前面に設けられることを特徴とする請求項６に記載の調理装置。
【請求項８】
前記音響再生装置は、使用者により音響再生装置が操作できるように、上面に操作部を含み、
前記操作部は、前記音響再生装置が放出されるとき、前記調理装置から外側に回転することを特徴とする請求項６に記載の調理装置。
【請求項９】
前記音響再生装置は前記調理装置側に回転することにより閉じられ、前記音響再生装置が閉じられるとき、前記音響再生装置操作部が覆われ、
前記音響再生装置は前記調理装置から外側に回転することにより開き、前記音響再生装置が開くとき、前記音響再生装置操作部が露出されることを特徴とする請求項８に記載の調理装置。
【請求項１０】
前記調理装置は、前記音響再生装置が閉じられたとき、前記音響再生装置を動作させるため、前記本体上に位置するほかの音響再生装置操作部をさらに含むことを特徴とする請求項９に記載の調理装置。
【請求項１１】
前記調理装置は、前記音響再生装置及び前記本体にそれぞれ無線送信／受信装置をさらに含み、前記音響再生装置及び前記本体は、前記音響再生装置が前記本体から分離されたとき、前記音響再生装置の無線送信／受信装置及び前記本体の無線送信／受信装置を介して互いに通信することを特徴とする請求項１に記載の調理装置。
【請求項１２】
前記音響再生装置は、ＭＤプレーヤー、カセットプレーヤー、ＭＰ３プレーヤー、又はＣＤプレーヤーであることを特徴とする請求項１に記載の調理装置。
【請求項１３】
マグネトロン及び電源供給部を含む電装室と、
音響再生装置と、
前記音響再生装置が着脱される装着部を有する本体と、
前記音響再生装置で再生される音響信号を出力する少なくとも一つのスピーカとを含んでなることを特徴とする電子レンジ。
【請求項１４】
前記音響再生装置は、前記音響再生装置を装着部に電気的に連結し、電源を受けて音響信号を伝送する第１コネクタを有し、
前記本体の装着部は前記音響再生装置に電源を供給し音響信号を受信する第２コネクタを有し、
前記音響再生装置で再生される音響信号は、前記装着部に装着されたとき、前記第１及び第２コネクタを介して一つ以上のスピーカに伝送されることを特徴とする請求項１３に記載の電子レンジ。
【請求項１５】
前記本体は、外部スピーカを前記本体に連結するため、オーディオ出力端子をさらに含むことを特徴とする請求項１３に記載の電子レンジ。
【請求項１６】
前記本体は、前記装着部に装着された音響再生装置を分離するための放出ボタンをさらに含み、
前記音響再生装置の上部は、前記音響再生装置が放出されるとき、前記調理装置から外側に回転することを特徴とする請求項１３に記載の電子レンジ。
【請求項１７】
前記装着部は前記本体の前面に設けられることを特徴とする請求項１６に記載の電子レンジ。
【請求項１８】
前記音響再生装置は、使用者により音響再生装置が操作できるように、上面に操作部を含み、
前記操作部は、前記音響再生装置が放出されるとき、前記調理装置から外側に回転することを特徴とする請求項１６に記載の電子レンジ。
【請求項１９】
前記調理装置は、前記音響再生装置及び前記本体にそれぞれ無線送信／受信装置をさらに含み、前記音響再生装置及び前記本体は、前記音響再生装置が前記本体から分離されたとき、前記音響再生装置の無線送信／受信装置及び前記本体の無線送信／受信装置を介して互いに通信することを特徴とする請求項１３に記載の電子レンジ。
【請求項２０】
前記本体は、前記電装室を冷却させるための外部空気を吸入するため、前記本体に設けられるグリルをさらに含み、前記一つ以上のスピーカは前記グリルの後部に設けられることを特徴とする請求項１３に記載の電子レンジ。
【請求項２１】
前記グリルは前記本体の前面に設けられることを特徴とする請求項２０に記載の電子レンジ。
【請求項２２】
前記電子レンジは、前記電装室を冷却させるための空気を吸入するため、前記グリルの後部に設けられる吸気口をさらに含み、前記グリルは異物が前記吸気口に流入することを防止することを特徴とする請求項２１に記載の電子レンジ。
【請求項２３】
前記二つのスピーカは前記吸気口の両側に装着されることを特徴とする請求項２２に記載の電子レンジ。
【請求項２４】
前記電子レンジがレンジフードと結合されることを特徴とする請求項１３に記載の電子レンジ。
【請求項２５】
調理装置の装着部に着脱可能に装着され、前記調理装置のコネクタに接続される音響再生装置において、
前記音響再生装置を前記装着部に電気的に連結して、前記コネクタを介して電源を受け、音響信号を伝送するためのコネクタと、
前記音響再生装置の動作を制御するため、前記音響再生装置の上面に設けられる操作部とを含んでなることを特徴とする音響再生装置。
【請求項２６】
前記音響再生装置は、音響再生装置のディスクを着脱可能に収容するディスク収容部をさらに含むことを特徴とする請求項２５に記載の音響再生装置。
【請求項２７】
前記音響再生装置は、前記音響再生装置が前記装着部から分離されたとき、前記調理装置と通信するための無線送信／受信装置をさらに含むことを特徴とする請求項２５に記載の音響再生装置。
【請求項２８】
上面に操作部とコネクタを有する音響再生装置を、装着部及び装着部コネクタを有する本体と放出ボタンを含む調理装置に着脱する方法において、
前記音響再生装置のコネクタが前記装着部に結合するように、前記音響再生装置を前記装着部に挿入し、前記音響再生装置の上部が前記調理装置の本体内に回転するように、前記音響再生装置を前記調理装置側に押し込む段階と、
前記放出ボタンを押して前記音響再生装置を前記調理装置から外側に回転させ、前記音響再生装置を前記装着部から分離する段階とを含んでなることを特徴とする方法。
【請求項２９】
前記方法は、
前記音響再生装置を前記調理装置に装着した後、前記音響再生装置を前記調理装置側に回転させることで前記音響再生装置を閉じて、前記操作部を覆う段階と、
前記音響再生装置が閉じられたとき、前記音響再生装置を前記調理装置から外側に回転させることで前記音響再生装置を開けて、前記操作部を露出させる段階とをさらに含むことを特徴とする請求項２８に記載の方法。
【発明の詳細な説明】
【技術分野】
【０００１】
本発明は調理装置に係り、より詳しくは高周波を用いて飲食物を調理する電子レンジに関するものである。
【背景技術】
【０００２】
電子レンジは、高周波を調理室の内部に照射して飲食物を調理する装置である。電子レンジは電装室と調理室に区画されるが、電装室には高周波を発生させるためのマグネトロンが設けられる。このような電子レンジの活用度が増加して、家庭において電子レンジによる飲食物の調理時間が次第に増加しつつある趨勢である。したがって、電子レンジを多く使用する使用者が調理中に好みに合う音楽を聞けば、より楽しく調理が行えるであろう。このような使用者の欲求を充足させるためのオーディオ兼用電子レンジがある（例えば、特許文献１参照）。
【０００３】
図１は前記特許文献１に開示されている従来の音響再生装置を備えた電子レンジを示すものである。同図に示すように、本体１０の上面両側にスピーカ２０が設けられ、中央部には収容部１２が設けられる。この収容部１２内にはＣＤプレーヤー３０及びカセットプレーヤー４０が取り付けられる。
【０００４】
この電子レンジによると、使用者が電子レンジで飲食物を調理するとき、調理室内のトレイ上に飲食物を置いた後、その飲食物に適当な時間を設定し、調理を開始させる。使用者は飲食物が調理される間、音楽を聞くため、本体１０に設けられたＣＤプレーヤー３０及びカセットプレーヤー４０のいずれか一つを選択して音楽を再生させると、再生される音楽がスピーカ２０を介して出力される。
【０００５】
このような従来のオーディオ兼用電子レンジは、ＣＤプレーヤーとカセットプレーヤーが電子レンジの上面に設けられるため、電子レンジの設置位置が多少高いと、身長の低い使用者がＣＤプレーヤー又はカセットプレーヤーを操作するのが大変不便である。フード兼用電子レンジはクックトップの上方の比較的高い位置に取り付けられるため、このような問題がさらに深刻になる。
【０００６】
また、ＣＤプレーヤーとカセットプレーヤーが電子レンジに堅く装着されるため、電子レンジが取り付けられた場所を外れると、ＣＤプレーヤーとカセットプレーヤーを用いることができない。すなわち、電子レンジに装着されたＣＤプレーヤーとカセットプレーヤーの利用範囲が非常に制限される。
【特許文献１】大韓民国実用新案公開第１９９９−１３７９号明細書
【発明の開示】
【発明が解決しようとする課題】
【０００７】
したがって、本発明は、音響再生装置の装着位置と装着方式を改善して、操作を容易にするとともに利用範囲を拡張した音響再生装置を備えた調理装置を提供することにその目的がある。
【課題を解決するための手段】
【０００８】
前記目的を達成するため、本発明は、音響再生装置と、前記音響再生装置が着脱される装着部を有する本体と、前記音響再生装置で再生される音響信号を出力する少なくとも一つのスピーカとを含んでなる調理装置を提供する。
【０００９】
また、本発明は、マグネトロン及び電源供給部を含む電装室と、音響再生装置と、前記音響再生装置が着脱される装着部を有する本体と、前記音響再生装置で再生される音響信号を出力する少なくとも一つのスピーカとを含んでなる電子レンジを提供する。
【００１０】
また、本発明は、調理装置の装着部に着脱可能に装着され、前記調理装置のコネクタに接続される音響再生装置において、前記音響再生装置を前記装着部に電気的に連結して、前記コネクタを介して電源を受け、音響信号を伝送するためのコネクタと、前記音響再生装置の動作を制御するため、前記音響再生装置の上面に設けられる操作部とを含んでなる音響再生装置を提供する。
【００１１】
また、本発明は、上面に操作部とコネクタを有する音響再生装置を、装着部及び装着部コネクタを有する本体と放出ボタンを含む調理装置に着脱する方法において、前記音響再生装置のコネクタが前記装着部に結合するように、前記音響再生装置を前記装着部に挿入し、前記音響再生装置の上部が前記調理装置の本体内に回転するように、前記音響再生装置を前記調理装置側に押し込む段階と、前記放出ボタンを押して前記音響再生装置を前記調理装置から外側に回転させ、前記音響再生装置を前記装着部から分離する段階とを含んでなる方法を提供する。
【発明の効果】
【００１２】
本発明による音響再生装置を備えた調理装置は、音響再生装置を本体の前面に装着することにより、調理装置が比較的高い位置に取り付けられても、音響再生装置の操作が便利になるようにする。また、音響再生装置の着脱を可能にして、音響再生装置の利用空間を大変拡張させることができる。
【発明を実施するための最良の形態】
【００１３】
以下、本発明による音響再生装置を備えた調理装置の好ましい実施例を図２ないし図６に基づいて詳細に説明する。
【００１４】
図２は本発明による音響再生装置を備えた調理装置の一実施例を示すもので、ＣＤプレーヤーが本体の前面に装着される電子レンジを示すものである。同図に示すように、電子レンジ２００の本体２０２の前面には、調理室（図示せず）を選択的に開放するためのドア２０４、電子レンジ操作部２０８、及びＣＤプレーヤー２１０が設けられる。ドア２０４にはドアハンドル２０４ａが装着される。このドアハンドル２０４ａはＣＤプレーヤー２１０の反対方向に折曲されるので、ＣＤプレーヤー２１０を着脱するに際して、ドアハンドル２０４ａによる不便さはない。
【００１５】
電子レンジ操作部２０８は、電子レンジ２００の調理モードを設定するのに必要な多数の入力装置２０８ａを備えている。この入力装置２０８ａは感熱方式のタッチスイッチからなる。すなわち、入力装置２０８ａに身体の一部を接触させるだけで、使用者の所望操作がなされる。
【００１６】
この入力装置２０８ａの一つは、ＣＤプレーヤー２１０を放出させるために設定されている。ＣＤプレーヤー２１０は本体２０２の前面に装着されるため、電子レンジ２００が使用者の背丈に比べて高いところに取り付けられても、ＣＤプレーヤー２１０を使うことに不便が全くない。さらに、ＣＤプレーヤー２１０は本体２０２の前面に設けられる装着部２２０（図５）に着脱されるため、ＣＤプレーヤー２１０の移動が自由である。
【００１７】
本体２０２の両側面にはスピーカ２１２が設けられ、ＣＤプレーヤー２１０で再生された音響信号がこのスピーカ２１２を介して出力される。また、本体２０２の一側面にはオーディオ出力端子２１４が設けられ、このオーディオ出力端子２１４に、外部スピーカ（図示せず）などのほかの外部オーディオ出力装置を連結して使用することができる。ＣＤプレーヤー２１０だけでなく、ＭＤプレーヤー、カセットプレーヤー、ＭＰ３プレーヤーなども本発明による電子レンジ２００の装着部に装着し得るように構成できる。本体２０２の前面に設けられた無線送受信装置２１６は、使用者がＣＤプレーヤー２１６を放出させて家庭内のほかの場所に移動したとき、ＣＤプレーヤー２１０で再生される音響信号を無線で受信し、必要な場合、ＣＤプレーヤー２１０を制御するための制御信号を無線で送信するためのものである。
【００１８】
図３は図２に示す本発明による電子レンジの使用状態を示すものである。同図に示すように、電子レンジ操作部２０８に設けられた放出ボタンを押すと、ＣＤプレーヤー２１０の上部が前方に突出して、本体２０２の前方に所定角度だけ傾く。ＣＤプレーヤー２１０の上面には、ＣＤプレーヤー２１０を操作するためのＣＤプレーヤー操作部３０４と、ＣＤ３０６を挿入するためのＣＤ挿入口３０２とが設けられる。ＣＤプレーヤー２１０の上部が前方に突出すると、このＣＤプレーヤー操作部３０４及びＣＤ挿入口３０２が本体２０２の前面上方に向かうので、使用者がＣＤ挿入口３０２にＣＤ３０６を挿入しＣＤ操作部３０４を操作することが非常に便利である。電子レンジ操作部２０８に別途のＣＤプレーヤー操作部（図示せず）を設けると、ＣＤプレーヤー２１０を放出させていない状態でもＣＤプレーヤー２１０の操作が可能なので、さらに便利である。前記ＣＤプレーヤー２１０は、本体２０２から分離されたとき、バッテリーで駆動される。
【００１９】
図４は図２に示す本発明による音響再生装置を示すものである。同図に示すように、ＣＤプレーヤー２１０の下部には、電源の供給を受け、音響信号を送信するための第１コネクタ４０２が設けられる。この第１コネクタ４０２は、ＣＤプレーヤー２１０が本体２０２の装着部に装着されるようにするとともにＣＤプレーヤー２１０が本体２０２に電気的に連結されるようにする。ＣＤプレーヤー２１０の側面に設けられる無線送受信装置４０４は、使用者がＣＤプレーヤー２１０を放出させて家庭内のほかの場所に移動したとき、ＣＤプレーヤー２１０で再生される音響信号を無線で本体２０２に送信し、必要な場合、ＣＤプレーヤー２１０を制御するための制御信号を本体２０２から無線で受信するためのものである。
【００２０】
本発明による音響再生装置を備えた調理装置において、音響再生装置を放出させて家庭内のほかの場所に移動する場合にも、使用者が本発明の音響再生装置による音楽鑑賞が可能にするため、電子レンジ本体の音響再生装置それぞれに無線通信装置を設けることが好ましい。このために使用できる無線通信装置としては、ＲＦ送受信器、ブルートゥース装置、赤外線通信装置などがある。
【００２１】
図５は図４に示す本発明による音響再生装置の着脱状態を示すものである。同図に示すように、ＣＤプレーヤー２１０が装着される本体２０２の装着部の底面には、ＣＤプレーヤー２１０に電源を供給し、ＣＤプレーヤー２１０で再生される音響信号を受信するための第２コネクタ５０２が設けられる。第２コネクタ５０２は本体２０２の装着部の底面に設けられる。ＣＤプレーヤー２１０で再生される音響信号は第１及び第２コネクタ４０２、５０２を介してアンプ（図示せず）に伝達されて増幅され、増幅された音響信号はスピーカ２１２を介して出力される。
【００２２】
図５において、矢印５０４ａ、５０４ｂ、５０４ｃ、５０４ｄはそれぞれＣＤプレーヤー２１０の挿入、装着、突出、放出方向を示す。使用者がＣＤプレーヤー２１０を本体２０２に装着するためには、まずＣＤプレーヤー２１０を矢印５０４ａの方向に挿入してＣＤプレーヤー２１０の第１コネクタ４０２を第２コネクタ５０２に接続させた後、矢印５０４ｂの方向に押し込んでＣＤプレーヤー２１０を本体２０２の装着部に装着させる。使用者がＣＤプレーヤー２１０を分離するためには、電子レンジ操作部２０８の放出ボタンを押してＣＤプレーヤー２１０を矢印５０４ｃの方向に突出させてから矢印５０４ｄの方向に放出させる。
【００２３】
図６は本発明による音響再生装置を備えた調理装置のほかの実施例を示すもので、音響再生装置を備えたフード兼用電子レンジを示すものである。同図に示すように、フード兼用電子レンジ６００の本体６０２の前面には吸気口６０４が設けられ、この吸気口６０４を通じて異物が流入できないように、吸入グリル６０６が設けられる。この吸気口６０４を通じて吸気される空気は電装室６１２のマグネトロンと高圧素子を冷却させる。吸気口６０４の両側には１対のスピーカ６０６ａ、６０６ｂが設けられる。ＣＤプレーヤー６１０で再生される音響信号はこのスピーカ６０６ａ、６０６ｂを介して出力される。
【図面の簡単な説明】
【００２４】
【図１】従来の音響再生装置を備えた調理装置を示す斜視図である。
【図２】本発明による音響再生装置を備えた調理装置を示す斜視図である。（実施例１）
【図３】図２の調理装置の使用状態を示す斜視図である。
【図４】図２の音響再生装置を示す図である。
【図５】図４の音響再生装置の着脱状態を示す断面図である。
【図６】本発明による音響再生装置を備えた調理装置を示す斜視図である。（実施例２）
【符号の説明】
【００２５】
２００、６００  電子レンジ
２０２、６０２  本体
２０４  ドア
２０４ａ  ドアハンドル
２０８  電子レンジ操作部
２０８ａ  入力装置
２１０、６１０  ＣＤプレーヤー
２１２  スピーカ
２１４  オーディオ出力端子
２２０  装着部
３０２  ＣＤ挿入口
３０４  ＣＤプレーヤー操作部
３０６  ＣＤ
４０２  第１コネクタ
５０２  第２コネクタ
６０４  吸気口
６０６  吸入グリル
６０６ａ、６０６０ｂ  スピーカ
【図１】
2004251614.tif 000003
【図２】
2004251614.tif 000004
【図３】
2004251614.tif 000005
【図４】
2004251614.tif 000006
【図５】
2004251614.tif 000007
【図６】
2004251614.tif 000008